(57)【要約】【課題】受信装置を搭載する基板の小型化を図れる受信装置を提供する。【解決手段】受信装置３のチューナ部１１は高周波信号を中間周波信号に変換するチューナ回路部が実装される第１基板２２を有し、本体部１２は中間周波信号に所定の処理を施す回路部が実装される第２基板３１を有する。第２基板３１は板状部を有する基板取付部材４１の第１面ＦＳに取り付けられる。基板取付部材４１の第２面ＢＳには、第３基板６１が取り付けられる。基板取付部材４１には、第１面ＦＳに対する高さについてチューナ部１１の方が第２基板３１より高くなるようにシャーシ２３を支持する腕部４１５が形成される。【選択図】図７
2010081060.tif 000002
【特許請求の範囲】
【請求項１】
アンテナで受信した高周波信号を中間周波信号に変換するチューナ部と、
前記チューナ部から出力される中間周波信号に所定の処理を施す本体部と、を備える受信装置であって、
前記チューナ部は、前記高周波信号を前記中間周波信号に変換するチューナ回路部が実装される第１基板と、前記第１基板を取り付けるシャーシと、を有し、
前記本体部は、前記中間周波信号に前記所定の処理を施す回路部が実装される第２基板を有し、
前記第２基板は、板状部を有する基板取付部材に取り付けられ、
前記板状部の前記第２基板が取り付けられる側を第１面、該第１面の裏面側を第２面とした場合に、前記第２面側には第３基板が取り付けられるようになっており、
前記基板取付部材には、
前記第１面及び前記第２面に対して略垂直な方向に突出し、前記第１面側では前記第２基板と前記第２面側では前記第３基板と接触して、前記第２基板と前記第３基板とを電気的に接続する第１の接続端子と、
前記第２面側から略垂直な方向に突出し、前記第３基板に取り付けられる脚部と、
前記板状部の側面に設けられ、前記第１面に対する高さについて前記チューナ部の方が前記第２基板より高くなるように前記シャーシを支持する腕部と、が形成されることを特徴とする受信装置。
【請求項２】
前記チューナ部に設けられ、前記第１基板と前記第３基板とを直接接続する第２の接続端子を有することを特徴とする請求項１に記載の受信装置。
【請求項３】
前記チューナ部及び前記基板取付部材の少なくとも一方に設けられ、前記第１基板と前記第２基板とを電気的に直接接続する第３の接続端子を有することを特徴とする請求項１又は２に記載の受信装置。
【請求項４】
前記チューナ部の前記シャーシから突出するシャーシ端子が設けられ、
前記シャーシ端子は前記腕部を貫通して前記第３基板に取り付けられることを特徴とする請求項１から３のいずれかに記載の受信装置。
【請求項５】
前記第２基板には放熱板が取り付けられたＩＣが設けられ、
前記シャーシの一部が前記放熱板と当接している、或いは前記放熱板と一体となっていることを特徴とする請求項１から４のいずれかに記載の受信装置。
【請求項６】
前記第１基板のアースと前記第２基板のアースとが、前記第３基板を介して接続されることを特徴とする請求項１から５のいずれかに記載の受信装置。
【請求項７】
前記腕部の前記第１面に対する突出量が調整可能であることを特徴とする請求項１から６のいずれかに記載の受信装置。
【請求項８】
請求項１から７のいずれかに記載の受信装置と、
前記受信装置から出力される信号を受け取って、映像及び音声を出力する映像表示装置と、
を備えることを特徴とする受信システム。
【発明の詳細な説明】
【技術分野】
【０００１】
本発明は、デジタルテレビジョン放送に代表される高周波信号を受信するための受信装置に関する。また、本発明は、受信装置と映像表示装置とを備えた受信システムに関する。
【背景技術】
【０００２】
デジタルテレビジョン放送に代表される高周波信号を受信するための受信装置に関して、従来、種々の開発が行われている（例えば、特許文献１又は２参照）。従来の受信装置の構成について、図１３を参照しながら説明する。なお、図１３は、従来の受信装置の構成を示す図で、図１３（ａ）は受信装置を上から見た場合の概略平面図、図１３（ｂ）は受信装置を側面から見た場合の概略平面図である。なお、図１３（ａ）においては、説明の便宜のため、シャーシ１１５、１２７（これらについては後述する）の上面はないものとして図示している。また、図１３においては、従来の受信装置１００が実装される基板１０９（破線で示す。以下ではメイン基板と表現する）についても図示している。
【０００３】
図１３に示すように、従来の受信装置１００は、大きくはチューナ部１０１と、本体部１０２と、を備える。チューナ部１０１と本体部１０２とは、メイン基板１０９に取り付けられる。
【０００４】
チューナ部１０１は、放送信号入力端子１１１と、チューナ回路基板１１２と、を備える。チューナ回路基板１１２には、チューナ回路部１１３と、チューナ接続端子１１４とが設けられる。例えばデジタルテレビジョン放送等の放送波が図示しないアンテナによって受信されると、放送信号入力端子１１１を介して放送信号がチューナ回路部１１３に入力される。チューナ回路部１１３は、放送信号の中から所定周波数の信号を抽出（選局）し、中間周波数の信号（中間周波信号）に変換する。得られた中間周波信号は、チューナ接続端子１１４を介して本体部１０２へと出力される。
【０００５】
なお、チューナ部１０１のチューナ回路部１１３はシャーシ１１５によって覆われ、このシャーシ１１５がメイン基板１０９に取り付けられることで、チューナ部１０１はメイン基板１０９に固定される。
【０００６】
本体部１０２には、本体部回路基板１２１が設けられ、この本体部回路基板１２１には、入力端子１２２と、第１回路部１２３と、第２回路部１２４と、第３回路部１２５と、出力端子１２６と、が備えられる。チューナ部１０１から出力された中間周波信号は、メイン基板１０９及び入力端子１２２を介して第１回路部１２３に入力される。
【０００７】
第１回路部１２３は、受け取った信号に復調処理を施して第２回路部１２４に出力する。第２回路部１２４は、受け取った信号に施されている圧縮処理を解除して第３回路部１２５に出力する。第３回路部１２５は、圧縮処理の解除により復元されたデジタルの映像及び音声信号を、アナログの映像及び音声信号に変換する。そして、アナログの映像及び音声信号は、出力端子１２６を介して不図示の映像表示装置等へと出力される。
【０００８】
なお、本体部１０２を構成する本体部回路基板１２１の全体は、シャーシ１２７によって覆われ、このシャーシ１２７がメイン基板１０９に取り付けられることで、本体部１０２はメイン基板１０９に固定される。また、本体部回路基板１２１に設けられる入力端子１２２と出力端子１２６は、シャーシ１２７の外側に引き出されている。
【特許文献１】特開２０００−６８６７３号公報
【特許文献２】特開平１１−３４１３７５号公報
【発明の開示】
【発明が解決しようとする課題】
【０００９】
ところで、従来の受信装置１００は、受信システムを小型化する上で問題がある。具体的には、従来の受信装置１００においては、チューナ部１０１と本体部１０２とがメイン基板１０９上に横並びで取り付けられることになるため、チューナ部１０１と本体部１０２とを配置するために大きな面積が必要となる。このために、従来の受信装置の構成では、メイン基板１０９のサイズが大きくなってしまい、受信システム全体の小型化が行い難いという問題が発生する。
【００１０】
そこで、本発明の目的は、受信装置を搭載する基板の小型化を図れる受信装置を提供することである。また、本発明の他の目的は、そのような受信装置を備え、システム全体の小型化が可能な受信システムを提供することである。
【課題を解決するための手段】
【００１１】
上記目的を達成するために本発明は、アンテナで受信した高周波信号を中間周波信号に変換するチューナ部と、前記チューナ部から出力される中間周波信号に所定の処理を施す本体部と、を備える受信装置であって、前記チューナ部は、前記高周波信号を前記中間周波信号に変換するチューナ回路部が実装される第１基板と、前記第１基板を取り付けるシャーシと、を有し、前記本体部は、前記中間周波信号に前記所定の処理を施す回路部が実装される第２基板を有し、前記第２基板は、板状部を有する基板取付部材に取り付けられ、前記板状部の前記第２基板が取り付けられる側を第１面、該第１面の裏面側を第２面とした場合に、前記第２面側には第３基板が取り付けられるようになっており、前記基板取付部材には、前記第１面及び前記第２面に対して略垂直な方向に突出し、前記第１面側では前記第２基板と前記第２面側では前記第３基板と接触して、前記第２基板と前記第３基板とを電気的に接続する第１の接続端子と、前記第２面側から略垂直な方向に突出し、前記第３基板に取り付けられる脚部と、前記板状部の側面に設けられ、前記第１面に対する高さについて前記チューナ部の方が前記第２基板より高くなるように前記シャーシを支持する腕部と、が形成されることを特徴としている。
【００１２】
本構成によれば、基板取付部材を用いて本体部が有する第２基板を第３基板（メイン基板に該当）に取り付ける構成であり、従来のように本体部をシャーシで覆う必要がない。そして、このような構成において、更に、基板取付部材に形成される腕部を利用して、チューナ部が、本体部が有する第２基板の上部に配置される構成としている。このために、従来の構成（図１３参照）に比べて、第３基板においてチューナ部及び本体部が占める面積を低減できる。したがって、メイン基板である第３基板の小型化を図れる。
【００１３】
上記構成の受信装置において、前記チューナ部に設けられ、前記第１基板と前記第３基板とを直接接続する第２の接続端子を有することとしても良い。本構成のように、チューナ部に設けられる接続端子を、本体部を構成する第２基板と接続することなく第３基板（メイン基板）と接続する場合、第２基板で発生するデジタルノイズによってチューナ部が受ける影響を低減できる。
【００１４】
上記構成の受信装置において、前記チューナ部及び前記基板取付部材の少なくとも一方に設けられ、前記第１基板と前記第２基板とを電気的に直接接続する第３の接続端子を有することとしても良い。本構成では、チューナ部から出力される中間周波信号を直接本体部の第２基板に出力することになる。この場合、第３基板（メイン基板）に設ける端子用パターンの面積を低減できるために、第３基板の小型化を図ることが可能となる。
【００１５】
上記構成の受信装置において、前記チューナ部の前記シャーシから突出するシャーシ端子が設けられ、前記シャーシ端子は前記腕部を貫通して前記第３基板に取り付けられることとしても良い。本構成の場合、腕部によってシャーシ端子が固定されることになるために、チューナ部の固定が強固ものとなる。
【００１６】
上記構成の受信装置において、前記第２基板には放熱板が取り付けられたＩＣが設けられ、前記シャーシの一部が前記放熱板と当接している、或いは前記放熱板と一体となっていることとしても良い。本構成によれば、放熱面積を増大させることができ、ＩＣで発生する熱を効率良く放熱することが可能となる。
【００１７】
上記構成の受信装置において、前記第１基板のアースと前記第２基板のアースとが、前記第３基板を介して接続されるのが好ましい。本構成によれば、第１基板及び第２基板で各々発生するノイズによる影響を低減し易い。
【００１８】
上記構成の受信装置において、前記腕部の前記第１面に対する突出量が調整可能であることとしても良い。本構成によれば、チューナ部と第２基板との距離を変更する必要が生じた場合にも対応しやすい。
【００１９】
また、上記目的を達成するために本発明の受信システムは、上記構成のうちのいずれかかの受信装置と、前記受信装置から出力される信号を受け取って、映像及び音声を出力する映像表示装置と、を備えることを特徴としている。
【００２０】
この構成によれば、受信装置が実装される基板の小型化が図れるために、受信システム全体の小型化が可能となる。
【発明の効果】
【００２１】
本発明によれば、受信装置を搭載する基板の小型化を図れる受信装置を提供できる。また、本発明によれば、そのような受信装置を備えることにより、受信システムの小型化を図れる。
【発明を実施するための最良の形態】
【００２２】
以下、本発明の受信装置及びそれを用いた受信システムの実施形態について、図面を参照しながら説明する。
【００２３】
まず、本実施形態の受信システムについて、図１を参照しながら説明する。図１は、本実施形態の受信システムの構成を示すブロック図である。図１に示すように、本実施形態の受信システム１は、大きくは、アンテナ２と、受信装置３と、映像表示装置４と、を備える。アンテナ２は、例えばデジタルテレビジョン放送等の高周波信号を受信するために備えられる。
【００２４】
受信装置３は、チューナ部１１と本体部１２とを備える。チューナ部１１は、アンテナ２によって受信した高周波信号の中から所定周波数の信号を抽出（選局）し、中間周波数の信号（以下では中間周波信号と表現する）に変換する。本体部１２は、チューナ部１１から出力される中間周波信号を受け取り、受け取った信号を処理して映像及び音声信号に変換する。
【００２５】
映像表示装置４は、表示処理部１３と音声処理部１４とを備える。表示処理部１３は、受信装置３から出力される映像信号を処理して、映像表示装置４が有する図示しない画面に映像を表示させる。音声処理部１４は、受信装置３から出力される音声信号を処理して、映像表示装置４が有する図示しないスピーカから音声を出力させる。
【００２６】
以下、本発明の特徴部を備える受信装置３の構成について詳細に説明するが、３つの実施形態を挙げて説明する。
【００２７】
（受信装置の第１実施形態）
まず、第１実施形態の受信装置３の構成について説明する。図２は、第１実施形態の受信装置３が備えるチューナ部１１の構成を説明するための図で、図２（ａ）はチューナ部１１の構成を示す概略斜視図、図２（ｂ）はチューナ部１１の構成を示す概略平面図である。なお、図２（ｂ）においては、チューナ部１１を構成するシャーシ２３の上蓋２３１が取り付けられていない状態を示している。
【００２８】
図２に示すように、チューナ部１１は、放送信号入力端子２１と、チューナ回路基板（本発明の第１基板の実施形態）２２と、シャーシ２３と、を備える。放送信号入力端子２１は、アンテナ２（図１参照）によって受信された放送信号をチューナ部１１へと入力する端子である。
【００２９】
チューナ回路基板２２には、チューナ回路部２２１が形成されており、アンテナ２によって受信された放送信号は放送信号入力端子２１を介してチューナ回路部２２１に入力される。チューナ回路部２２１は、放送信号の中から所定周波数の信号を抽出（選局）し、中間周波数の信号（中間周波信号）に変換する機能を有する。チューナ回路基板２２には、更にチューナ接続端子２２２が形成されており、チューナ回路部２２１によって得られた中間周波信号は、このチューナ接続端子２２２を介して図示しないメイン基板へと出力される。すなわち、チューナ接続端子２２２は図示しないメイン基板と電気的に接続されている。
【００３０】
なお、本実施形態におけるメイン基板（本発明の第３基板の実施形態）は受信装置３が実装される基板のことを指しており、例えば本実施形態の受信システム１全体を制御するコントロール基板等が該当する。以下、メイン基板は同様の意味で使用する。また、チューナ接続端子２２２は、本発明の第２の接続端子の実施形態である。
【００３１】
シャーシ２３は略箱状に形成され、チューナ回路部２２１を覆った状態でチューナ回路基板２２を支持している。なお、チューナ接続端子２２２は、シャーシ２３に覆われていない。シャーシ２３の上下は開閉自在となっており、シャーシ２３は上蓋２３１と下蓋２３２とを備える。また、シャーシ２３の下面からは、アースをとるために４つのＧＮＤ接続端子（本発明のシャーシ端子の実施形態）２３３ａ、２３３ｂ、２３３ｃ、２３３ｄが突出している。なお、本実施形態では、各ＧＮＤ接続端子２３３ａ〜２３３ｄは、シャーシ２３の下面の四隅近傍から突出している。
【００３２】
図３は、第１実施形態の受信装置３が備える本体部１２の構成を説明するための図である。図３に示すように、本体部１２には本体部回路基板（本発明の第２基板の実施形態）３１が設けられる。そして、この本体部回路基板３１には、第１回路部３１１と、第２回路部３１２と、第３回路部３１３と、端子接続パターン３１４ａ、３１４ｂ、３１４ｃと、が備えられる。
【００３３】
第１回路部３１１は、入力された信号に復調処理を施すための回路を有している。第２回路部３１２は、入力された信号に施されている圧縮処理を解除するための回路を有している。第３回路部３１３は、入力されたデジタルの映像及び音声信号を、アナログの映像及び音声信号に変換するための回路を有している。
【００３４】
端子接続パターン３１４ａ〜３１４ｃは、その詳細は後述する基板取付部材４１（後述の図４参照）に形成される接続端子４１３ａ〜４１３ｃを挿入可能となるように設けられ、本体部回路基板３１に複数の貫通孔を形成して成る。端子接続パターン３１４ａ（以下では第１端子接続パターン３１４ａと記載する）は、第１回路部３１１に接続される。端子接続パターン３１４ｂ（以下では第２端子接続パターン３１４ｂと記載する）は、第１回路部３１１及び第３回路部３１３に接続される。端子接続パターン３１４ｃ（以下では第３端子接続パターン３１４ｃと記載する）は、各回路部３１１〜３１３に接続される。
【００３５】
このように形成される本体部回路基板３１は、基板取付部材４１に取り付けられる。従来は、図１３に示されるように、シャーシ１２７で本体部回路基板１２１全体を覆う構成としていた。しかし、この構成の場合、シャーシ１２７の存在により受信装置１００の大きさが大型化してしまう。このため、本実施形態においては、受信装置３の小型化を図るために、本体部回路基板３１をシャーシで覆うのではなく、基板取付部材４１に取り付けることにしている。以下、基板取付部材４１の構成について、主に図４から図６を参照しながら説明する。
【００３６】
なお、図４は、第１実施形態の受信装置３が備える基板取付部材４１の構成を示す図である。図５は、図４にＡで示す範囲の拡大図である。図６は、図４にＢで示す範囲の拡大図である。なお、図４においては、基板取付部材４１を表側から見たもの（平面図）を中央に表し、上下左右の各方向から見たもの（側面図）を、その周囲に表している。
【００３７】
図４及び図５を参照して、基板取付部材４１は、板状部４１１と、第１スペーサ４１２ａと、第２スペーサ４１２ｂと、接続端子４１３と、脚部４１４と、腕部４１５と、を備える。
【００３８】
板状部４１１は絶縁材で形成されており、主面（最も広い面）の外縁が長方形である平板について、その内部を平面視長方形の形に切り抜いて形成される形状となっている。言い換えれば、板状部４１１は額縁状の枠体（フレーム）となっている。基板取付部材４１を構成する主要部分は、この板状部４１１である。
【００３９】
なお、板状部４１１の主面の外縁形状は、本体部回路基板３１の実装面の外縁形状と、ほぼ合同になるように設定されている。
【００４０】
第１スペーサ４１２ａは、所定の厚みを持つ板状体であり、板状部４１１の裏面ＢＳ（本発明の第２面に該当する）側において、板状部４１１の四隅（裏面側における各角の近傍）に取り付けられている。第２スペーサ４１２ｂは、所定の厚みを持つ板状体であり、板状部４１１の表面ＦＳ（本発明の第１面に該当する）側において、板状部４１１の四隅（表面側における各角の近傍）および板状部４１１におけるその他の所定箇所に取り付けられている。
【００４１】
基板取付部材４１が備える接続端子４１３には、入力用接続端子４１３ａ、出力用接続端子４１３ｂ及びアース用接続端子４１３ｃの３種類がある。いずれの接続端子４１３ａ〜４１３ｃも、弾性の有る金属（導電性部材）にて細長い形状に形成されている。入力用接続端子４１３ａは、チューナ部１１から一旦メイン基板に出力された中間周波信号を本体部回路基板３１へと伝送するものである。また、出力用接続端子４１３ｂは、本体部１２から出力される信号をメイン基板へと伝送し、映像及び音声処理を行わせるためのものである。また、アース用接続端子４１３ｃは、本体部回路基板３１に形成される各回路部３１１〜３１３をメイン基板に設けられるグランドパターン（アースパターン）に接続するものである。
【００４２】
入力用接続端子４１３ａは、板状部４１１の第１の辺４１１ａ（図４の中央に示す板状部４１１の左側の辺）に沿って複数設けられる。出力用接続端子４１３ｂは、板状部４１１の第２の辺４１１ｂ（図４の中央に示す板状部４１１の上側の辺）に沿って複数設けられる。また、アース用接続端子４１３ｃは、板状部４１１の第３の辺４１１ｃ（図４の中央に示す板状部４１１の右側の辺）に複数設けられる。
【００４３】
入力用接続端子４１３ａ、出力用接続端子４１３ｂ及びアース用接続端子４１３ｃは、いずれも板状部４１１の主面を、略垂直な方向に貫くように設けられている。言い換えれば、入力用接続端子４１３ａ、出力用接続端子４１３ｂ及びアース用接続端子４１３ｃは、板状部４１１の表面ＦＳ側と裏面ＢＳ側から双方に突出している。これにより、板状部４１１の表面ＦＳ側に取り付けられる本体部回路基板３１と、板状部４１１の裏面ＢＳ側に取り付けられるメイン基板とを、電気的に接続することができるようになっている。すなわち、入力用接続端子４１３ａ、出力用接続端子４１３ｂ及びアース用接続端子４１３ｃは、本発明の第１の接続端子の実施形態である。
【００４４】
なお、各接続端子４１３ａ〜４１３ｃは、裏面ＢＳ側においては第１スペーサ４１２ａの厚みよりも大きく突出しており、表面ＦＳ側においては第２スペーサ４１２ｂの厚みよりも大きく突出している。そのため、各スペーサ４１２ａ、４１２ｂに接触するように回路基板が取り付けられたとき、接続端子４１３ａ〜４１３ｃを当該回路基板に接触させることができるようになっている。また、各接続端子４１３ａ〜４１３ｃのうちの幾つかについては、図６に示す如く、一部が「く」の字型となるように曲げ加工の施された、折り曲げ部４１３ｓが設けられている。
【００４５】
脚部４１４は、板状部４１１の裏面ＢＳ側において、板状部４１１の四隅の各々から、主面に対して垂直に突出するように設けられている。脚部４１４は、第１スペーサ４１２ａや各接続端子４１３ａ〜４１３ｃよりも、板状部４１１から大きく突出している。なお、脚部４１４は、図５に示すように第１スペーサ４１２ａを介して突出するようにしても良いし、その他の構成として板状部４１１から直接突出するようにしても良い。
【００４６】
また、本実施形態では、図５に示すように、脚部４１４の先端近傍において、フック部４１４ａ（小さな突起）が形成されている。このフック部４１４ａは、基板取付部材４１がメイン基板に取り付けられた後、容易に抜けないようにするためのものである。
【００４７】
腕部４１５は、板状部４１１の第１の辺４１１ａの外周側側面全体と、第４の辺４１１ｄの外周側側面のうち、第１の辺４１１ａ寄りの一部に設けられている。この腕部４１５は、チューナ部１１のシャーシ２３を支持するために設けられている。そして、腕部４１５は、板状部４１１の表面ＦＳに対する高さについて、チューナ部１１の方が本体部回路基板３１よりも高くなるようにチューナ部１１を支持するように形成されている。
【００４８】
なお、このような腕部４１５は、基板取付部材４１に接着剤等で貼り付ける構成としても良いし、又は、板状部４１１と同一の材質として、板状部４１１と一体的に設けても良い。更に、腕部４１５の板状部４１１の表面ＦＳに対する突出量を変更できるように、例えばビス留めする構成（この場合、例えば腕部４１５に長孔を設けてビス留め位置をスライドできるようにする）等としても良い。腕部４１５の板状部４１１の表面ＦＳに対する突出量を変更できる構成とすると、チューナ部１１の高さを適宜変更できるので便利である。
【００４９】
図７は、第１実施形態の受信装置３における各部の位置関係を示す図で、図７（ａ）は受信装置３の概略平面図、図７（ｂ）は図７（ａ）に示す受信装置３を矢印Ｃ方向に見た場合の側面図、図７（ｃ）は図７（ａ）に示す受信装置３を矢印Ｄ方向に見た場合の側面図である。なお、図７（ａ）において破線の楕円で囲む部分は、チューナ部１１の下部側の構成を示している。
【００５０】
以下、主に図７を参照しながら、受信装置３の組み立て手順例を説明し、受信装置３の各部間の関係についても明らかにする。
【００５１】
まず、本体部回路基板３１が基板取付部材４１に取り付けられる。具体的には、先ず本体部回路基板３１の裏面側と基板取付部材４１の板状部４１１の表面ＦＳ側が対向するように、また本体部回路基板３１と基板取付部材４１の外縁同士が、主面に垂直な方向から見て重なるように、本体部回路基板３１が基板取付部材４１に載置される。
【００５２】
本体部回路基板３１の基板取付部材４１への取り付けにより、入力用接続端子４１３ａの表側に突出する部分は、第１端子接続パターン３１４ａ（図３参照）を形成する複数の貫通孔を貫通する。また、出力用接続端子４１３ｂの表側に突出する部分は、第２端子接続パターン３１４ｂ（図３参照）を形成する複数の貫通孔を貫通する。更に、アース用接続端子４１３ｃの表側に突出する部分は、第３端子接続パターン３１４ｃ（図３参照）を形成する複数の貫通孔を貫通する。そして、各接続端子４１３ａ〜４１３ｃは、対応する端子接続パターン３１４ａ〜３１４ｃに、はんだ付けによって固定される。
【００５３】
なお、本体部回路基板３１と基板取付部材４１の外縁同士は互いに略合同な長方形であるため、上述の通り、互いに重なるように本体部回路基板３１を基板取付部材４１に載置させることが可能である。そのため、本体部回路基板３１と基板取付部材４１との位置合わせが容易となっている。
【００５４】
また、先述した通り各接続端子４１３ａ〜４１３ｃの幾つかには折り曲げ部４１３ｓが設けられている。そのため本体部回路基板３１が基板取付部材４１に載置された段階で、この折り曲げ部４１３ｓが、端子接続パターン３１４ａ〜３１４ｃの貫通孔の内部側面から径方向に弾性力を加えることになる。したがって、本体部回路基板３１と基板取付部材４１との位置関係が不安定となる（本体部回路基板３１がぐらつく）ことを極力抑えることが可能となっており、当該はんだ付け工程の実行が容易となっている。
【００５５】
また、本体部回路基板３１は、基板取付部材４１に載置されたとき、第２スペーサ４１２ｂに接触する。これにより本体部回路基板３１と板状部４１１とは接触せず、双方間には第２スペーサ４１２ｂの厚み分のスペースＳＰ１が生じることになる。このため、本体部回路基板３１が放熱し易いようになっている。また、本体部回路基板３１における回路パターンが板状部４１１に接触することを、極力回避することが可能となっている。
【００５６】
本体部回路基板３１が基板取付部材４１に取り付けられると、チューナ部１１が基板取付部材４１の腕部４１５に支持された状態で、本体部１２の上部に配置される。なお、本実施形態においては、チューナ部１１のシャーシ２３には４つのＧＮＤ接続端子２３３ａ〜２３３ｄが形成される。このうち、ＧＮＤ接続端子２３３ｄは、チューナ部１１を本体部１２の上部に配置した時点で、本体部回路基板３１に形成されるる貫通孔（図示せず）を貫通するようになっている。
【００５７】
チューナ部１１が本体部１２の上部に配置されると、基板取付部材４１の脚部４１４がメイン基板６１に予め設けられた脚部挿入用孔（図示せず）に挿入される。この際、脚部４１４は脚部挿入用孔を貫通し、その結果、脚部４１４の先端に設けられているフック部４１４ａが、メイン基板６１の裏面側（基板取付部材４１と対向する面の裏側）に引っ掛かるようになっている。なお脚部挿入用孔の各々は、脚部４１４の突出部がスムーズに挿入され得る程度の大きさに設定されており、また各脚部４１４の位置に対応した位置に設けられている。
【００５８】
これにより、脚部４１４と脚部挿入用孔は、基板取付部材４１をメイン基板６１に載置させる工程において、基板取付部材４１とメイン基板６１との相対的な位置関係を定める役割をも果たしている。そのため、基板取付部材４１をメイン基板６１に取り付ける工程が手作業にてなされる場合、当該工程において、各脚部４１４を位置決めのための目印として利用することが可能となっている。
【００５９】
また、メイン基板６１には、チューナ部１１のチューナ接続端子２２２、基板取付部材４１に設けられた各接続端子４１３ａ〜４１３ｃ、及びチューナ部１１のＧＮＤ接続端子２３３ａ〜２３３ｄの位置に対応して、接続端子挿入用孔及びＧＮＤ接続端子挿入孔（いずれも図示せず）も形成されている。そのため、基板取付部材４１がメイン基板６１に載置される際、チューナ接続端子２２２及び接続端子４１３ａ〜４１３ｃは各接続端子挿入用孔に挿入され、各ＧＮＤ接続端子２３３ａ〜２３３ｄは各ＧＮＤ接続端子挿入孔に挿入されることとなる。ここで、ＧＮＤ接続端子挿入孔の孔の形状は、ＧＮＤ接続端子２３３ａ〜２３３ｄを挿入し易いように平面視楕円状に設けるのが好ましい。
【００６０】
なお、各接続端子４１３ａ〜４１３ｄに形成される折り曲げ部４１３ｓが接続端子挿入用孔に挿入されると、折り曲げ部４１３ｓは、孔の内部側面から径方向に弾性力を加えられる。したがって、上述のフック部４１４ａの効果と合わせて、基板取付部材４１がメイン基板６１に載置された後、メイン基板６１から容易に外れないようになっている。そして、この状態で、各接続端子４１３ａ〜４１３ｃ及び各ＧＮＤ接続端子２３３ａ〜２３３ｄと、メイン基板６１とは、互いにはんだ付けにより固定されることになるから、当該はんだ付けの工程が容易なものとなっている。
【００６１】
また、本実施形態においては、各ＧＮＤ接続端子２３３ａ〜２３３ｄは各ＧＮＤ接続端子挿入孔に挿入されることで、メイン基板６１に形成されるアースパターンに接続されるようになっている。すなわち、本実施形態においては、各ＧＮＤ接続端子２３３ａ〜２３３ｄは、本体部回路基板３１に電気的に接続することなく、メイン基板６１にのみ電気的に接続される構成となっている。このために、本体部回路基板３１で発生するデジタルノイズによって、チューナ部１１が影響を受ける可能性が低減される。
【００６２】
なお、メイン基板６１において、ＧＮＤ接続端子２３３ａ〜２３３ｄが接続されるアースパターン（チューナ回路基板２２用のアース）と、アース用接続端子４１３ｃが接続されるアースパターン（本体部回路基板３１用のアース）とを接続するのが好ましい。これにより、各基板で発生するノイズをメイン基板６１で遮断して、各ノイズが他の基板に対して悪影響を及ぼすことを低減可能である。
【００６３】
また、メイン基板６１は、基板取付部材４１がメイン基板６１に載置されたとき、第１スペーサ４１２ａに接触する。これによりメイン基板６１と板状部４１１とは接触せず、双方間には第１スペーサ４１２ａの厚み分のスペースＳＰ２が生じることになる。そのため、メイン基板６１で発生する熱を放熱し易くなっている。
【００６４】
次に、第１実施形態に係る受信装置３の動作内容について説明する。まず、放送信号入力端子２１にアンテナ２によって受信された放送信号が入力される。なお、ここでの放送信号は、デジタル放送（テレビ放送）に係るものであり、テレビ番組のコンテンツ情報（デジタルの映像や音声に係る情報）に、圧縮処理と変調処理が施されて生成された信号である。
【００６５】
放送信号入力端子２１に入力された放送信号は、チューナ回路部２２１に入力される。チューナ回路部２２１は、入力された放送信号について所定の周波数のものを抽出（選局）し、中間周波信号に変換する。この中間周波信号は、チューナ接続端子２２２を介してメイン基板６１に入力される。
【００６６】
メイン基板６１に入力された中間周波信号は、入力用接続端子４１３ａ及び第１端子接続パターン３１４ａ介して本体部回路基板３１の第１回路部３１１に入力される。第１回路部３１１は、入力された信号に対して、復調処理を施した上で第２回路部３１２に信号を出力する。第２回路部３１２は、入力された信号に対して圧縮処理を解除することで、デジタルテレビ放送の所定番組に係る映像および音声情報を取得し、これらの情報を第３回路部３１３に出力する。第３回路部３１３は、入力されたデジタルの映像および音声情報を、アナログの映像および音声情報に変換し、第２端子接続パターン３１４ｂおよび出力用接続端子４１３ｂを介して、メイン基板６１に出力する。映像表示装置４は、メイン基板６１に出力されたアナログの映像および音声情報を処理して映像表示や音声出力を行う。
【００６７】
以上のように構成される第１実施形態の受信装置３においては、基板取付部材４１を用いて本体部回路基板３１をメイン基板６１に取り付ける構成であり、従来のように本体部２をシャーシで覆う必要がない。そして、基板取付部材４１における板状部４１１が枠状に形成されているために、本体部回路基板３１の裏面に出っ張り（電子部品）が存在しても、この出っ張りと板状部４１１とが干渉することを極力防げるようになっている。
【００６８】
そして、第１実施形態の受信装置３においては、基板取付部材４１に形成される腕部４１５を利用して、チューナ部１１が本体部回路基板３１の回路素子と接触することなく、チューナ部１１を本体部１２の上部に配置する構成となっている。このために、従来の構成（図１３参照）に比べて、メイン基板６１に対してチューナ部１１及び本体部１２が占める面積を低減でき、メイン基板６１の小型化を図りやすい。
【００６９】
なお、本体部回路基板３１の上部には、図８に示すように集積回路（ＩＣ；Integrated Circuit）３１４が実装されることがある。なお、図８は、第１実施形態の受信装置３の変形例を説明するための図である。本体部回路基板３１の上部にＩＣ３１５を実装する場合、ＩＣ３１５における発熱を放熱し易くするためにＩＣ３１５の上部に放熱板３１６を配置することが行われる。ところで、上述のように、本実施形態においては、チューナ部１１が本体部回路基板３１の上部に配置される構成である。このため、放熱板３１６の放熱効率を向上することを狙って、チューナ部１１のシャーシ２３の下蓋２３２サイズを大きくし、下蓋２３２と放熱板３１６とが当接するような構成とすることも可能である。
【００７０】
なお、放熱効率を向上する構成としては、上述の構成に限らない。すなわち、シャーシ２３の下蓋２３２に限らず、上蓋２３１が放熱板３１５と当接する構成でも構わないし、場合によっては、シャーシ２３のその他の部分（上蓋２３１及び下蓋２３２以外の部分）が放熱板３１５と当接する構成でも構わない。更に、シャーシ２３の一部と放熱板３１５とを一体的に形成しても構わない。
【００７１】
（第２実施形態）
次に、第２実施形態の受信装置の構成について、図９及び図１０を参照しながら説明する。図９は、第２実施形態の受信装置が備える基板取付部材の構成を示す概略平面図である。図１０は、第２実施形態の受信装置における各部の位置関係を示す図で、図１０（ａ）は、第２実施形態の受信装置を図７（ｂ）の場合と同一方向から見た場合の側面図、図１０（ｂ）は第２実施形態の受信装置を図７（ｃ）の場合と同一方向から見た場合の側面図である。
【００７２】
なお、第２実施形態の受信装置５を説明するにあたって、第１実施形態の受信装置３と同一の部材については同一の符号を付し、特に説明の必要がない場合にその説明を省略する。
【００７３】
第２実施形態の受信装置５が第１実施形態の受信装置３と異なる点は、大きくは基板取付部材４１が備える入力用接続端子４１３ａと腕部４１５との構成、及び、チューナ部１１の本体部１２に対する位置関係である。以下、この違いについて説明する。
【００７４】
第２実施形態においても、基板取付部材４１が備える入力用接続端子４１３ａは、板状部４１１の第１の辺４１１ａ（図９の左側の辺）に沿って複数設けられる。この点、第１実施形態の場合と同様であるが、以下の点において第１実施形態の場合と異なる。すなわち、第２実施形態の受信装置５における入力用接続端子４１３ａは、板状部４１１の表面側においてのみ、板状部４１１の主面に対して略垂直な方向に延び出している。そして、入力用接続端子４１３ａは、第２スペーサ４１２ｂの厚みよりも大きく突出しており、本体部回路基板３１が板状部４１１の表面に取り付けられた状態で、第１端子接続パターン３１４ａ（図３参照）が有する孔を貫通するようになっている。
【００７５】
すなわち、第２実施形態の入力用接続端子４１３ａは、本体部回路基板（本発明の第２基板の実施形態）３１とは電気的に接続されるが、メイン基板（本発明の第３基板の実施形態）６１とは電気的に接続されない構成となっている。
【００７６】
また、第２実施形態の受信装置５においては、チューナ部１１が第１実施形態の場合と比べて本体部１２の中央寄りに配置される。具体的には、本体部回路基板３１の第１接続パターン３１４ａを貫通した入力用接続端子４１３ａと、チューナ接続端子２２２の一部とを直接電気的に接続できる位置にチューナ部１１は配置されている。そして、このように、チューナ部１１を配置していることから、チューナ部１１を支持する腕部４１５の構成について第１実施形態の場合と変更している。具体的には、板状部４１１の第４の辺４１１ｄの外周側側面のうち、第１の辺４１１ａ寄りの一部にのみ、腕部４１５を設ける構成としている。
【００７７】
以上のような第２実施形態において、入力用接続端子４１３ａと、チューナ接続端子２２２の一部とは、例えばはんだ等を用いて電気的に接続される。したがって、本実施形態では入力用接続端子４１３ａ及びチューナ接続端子２２２の一部は、チューナ回路基板（本発明の第１基板の実施形態）２２と本体部回路基板３１とを電気的に直接接続する機能を有し、本発明の第３の接続端子の実施形態に該当する。
【００７８】
第２実施形態のように受信装置５を形成した場合、チューナ部１１から出力される中間周波信号について、メイン基板６１を介して本体部２に入力するのではなく、チューナ部１１から直接本体部２に出力する構成とできる。そして、この場合、メイン基板６１に設ける端子用パターンの面積を低減できるために、メイン基板６１の部品取り付けスペースの増加、或いは、メイン基板６１の小型化を図ることが可能となる。
【００７９】
なお、第２実施形態において、チューナ接続端子２２２の残りの一部は、本体部回路基板３１及び基板取付部材４１を貫通し、メイン基板６１と直接電気的に接続される。したがって、チューナ接続端子２２２の残りの一部は、本発明の第２の接続端子の実施形態に該当する。そして、このように、本体部回路基板３１を介さずに直接メイン基板６１に接続端子を接続する構成ことにより、本体部回路基板２２で発生するデジタルノイズによるチューナ部１１への悪影響を低減できる。
【００８０】
また、本実施形態においては、チューナ部１１と本体部１２との電気的接続を、チューナ接続端子２２２の一部と入力用接続端子４１３ａとを接続することによって確保する構成とした。しかし、この構成に限定されない。すなわち、例えば、チューナ接続端子２２２の一部、或いは入力用接続端子４１３ａの長さを本実施形態の構成よりも長くして、チューナ接続端子２２２の一部と入力用接続端子４１３ａのうちのいずれか一方の接続端子だけを用いて、チューナ部１１と本体部１２との電気的接続を確保する構成等としても構わない。
【００８１】
（第３実施形態）
次に、第３実施形態の受信装置の構成について、図１１及び図１２を参照しながら説明する。図１１は、第３実施形態の受信装置が備える基板取付部材の構成を示す概略平面図である。図１２は、第３実施形態の受信装置における各部の位置関係を示す図で、図１２（ａ）は、第３実施形態の受信装置を図７（ｂ）の場合と同一方向から見た場合の側面図、図１２（ｂ）は第３実施形態の受信装置を図７（ｃ）の場合と同一方向から見た場合の側面図である。
【００８２】
なお、第３実施形態の受信装置６を説明するにあたって、第１実施形態の受信装置３と同一の部材については同一の符号を付し、特に説明の必要がない場合にその説明を省略する。
【００８３】
第３実施形態の受信装置６が第１実施形態の受信装置３と異なる点は、大きくは基板取付部材４１が備える腕部４１５の構成についてである。図１１に示すように、第３実施形態の受信装置６が備える腕部４１５は、第１実施形態の受信装置３が備える腕部４１５の一部を更に太くした構成となっている（第１実施形態から太くした部分について模様を異なるものとしている）。なお、腕部４１５については、その全体を一体的に設ける構成としても良いし、複数の部材から成る構成としても良い。この点は、第１実施形態についても同様である。
【００８４】
このように腕部４１５の一部を特に太くしているのは、図１２に示すように、チューナ部１１が有するＧＮＤ接続端子２２３ａ〜２２３ｃが腕部４１５を貫通してメイン基板６１と接続されるようにするためである。このように構成することにより、チューナ部１１の固定を強固なものとできる。
【００８５】
なお、本実施形態では、４つのＧＮＤ接続端子２２３ａ〜２２３ｄが設けられるが、ＧＮＤ接続端子２２３ｄについては、本体部回路基板３１を貫通してメイン基板６１に接続される構成であるために、ＧＮＤ接続端子２２３ｄは腕部４１５を貫通しない構成としている。そして、場合によっては、ＧＮＤ接続端子２２３ｄを設けない構成としても構わない。
【００８６】
（その他）
本発明は以上に示した実施形態に限定されないのは言うまでもない。すなわち、本発明の目的を逸脱しない範囲で種々の変更が可能である。例えば、受信装置の放送信号接続端子の前段にアンテナを備えるようにし、受信装置単体で、放送信号（放送波）を受信できるようにしても勿論構わない。
【産業上の利用可能性】
【００８７】
本発明の受信装置を用いれば、受信装置が実装されるメイン基板の小型化を図れる。すなわち、本発明の受信装置を用いれば、例えば受信装置と映像表示装置とを備える受信システムの小型化を図れ、本発明の受信装置は当該受信システムに好適に適用できる。
【図面の簡単な説明】
【００８８】
【図１】は、本実施形態の受信システムの構成を示すブロック図である。
【図２】は、第１実施形態の受信装置が備えるチューナ部の構成を説明するための図である。
【図３】は、第１実施形態の受信装置が備える本体部の構成を説明するための図である。
【図４】は、第１実施形態の受信装置が備える基板取付部材の構成を示す図である。
【図５】は、図４にＡで示す範囲の拡大図である。
【図６】は、図４にＢで示す範囲の拡大図である。
【図７】は、第１実施形態の受信装置における各部の位置関係を示す図である。
【図８】は、第１実施形態の受信装置の変形例を説明するための図である。
【図９】は、第２実施形態の受信装置が備える基板取付部材の構成を示す概略平面図である。
【図１０】は、第２実施形態の受信装置における各部の位置関係を示す図である。
【図１１】は、第３実施形態の受信装置が備える基板取付部材の構成を示す概略平面図である。
【図１２】は、第３実施形態の受信装置における各部の位置関係を示す図である。
【図１３】は、従来の受信装置の構成を示す図である。
【符号の説明】
【００８９】
１  受信システム
２  アンテナ
３、５、６  受信装置
４  映像表示装置
１１  チューナ部
１２  本体部
２２  チューナ回路基板（第１基板）
２３  シャーシ
３１  本体部回路基板（第２基板）
４１  基板取付部材
６１  メイン基板（第３基板）
２２１  チューナ回路部
２２２  チューナ接続端子（第２の接続端子或いは第３の接続端子）
２３１  シャーシの上蓋
２３２  シャーシの下蓋
２３３ａ〜２３３ｄ  ＧＮＤ接続端子（シャーシ端子）
３１１  第１回路部
３１２  第２回路部
３１３  第３回路部
３１５  ＩＣ
３１６  放熱板
４１１  板状部
４１３ａ  入力用接続端子（第１の接続端子或いは第３の接続端子）
４１３ｂ  出力用接続端子（第１の接続端子）
４１３ｃ  アース用接続端子（第１の接続端子）
４１４  脚部
４１５  腕部
ＦＳ  板状部の表面（第１面）
ＢＳ  板状部の裏面（第２面）
【図１】
2010081060.tif 000003
【図２】
2010081060.tif 000004
【図３】
2010081060.tif 000005
【図４】
2010081060.tif 000006
【図５】
2010081060.tif 000007
【図６】
2010081060.tif 000008
【図７】
2010081060.tif 000009
【図８】
2010081060.tif 000010
【図９】
2010081060.tif 000011
【図１０】
2010081060.tif 000012
【図１１】
2010081060.tif 000013
【図１２】
2010081060.tif 000014
【図１３】
2010081060.tif 000015